(57)【要約】      （修正有）【課題】トレーディングカードの展示に適した展示パネルを提供する。【解決手段】枠３６の内側に配置された第１の透明板３０と、第１の透明板３０の一方の面側において枠３６に回動可能に装着された第２の透明板３２と、第１の透明板３０の他方の面側において枠３６に回動可能に装着された第３の透明板３４でパネル１４を構成し、第１の透明板３０の一方の面に貼り付けられたトレーディングカード４７の両面に記載された内容を第２の透明板３２と第３の透明板３４を通して確認できるようにするとともに、第２の透明板３２を開いて所望のトレーディングカード４７を取り出せるようにした。【選択図】図４
0003155661.tif 000002
【実用新案登録請求の範囲】
【請求項１】
枠と、前記枠の内側に配置された第１の透明板と前記第１の透明板の一方の面側において前記枠に回動可能に装着された第２の透明板からなるパネルと、前記パネルを直立姿勢で設置するための支持台を備えた展示パネル。
【請求項２】
前記パネルが、前記第１の透明板の他方の面側において前記枠に回動可能に装着された第３の透明板をさらに備えた請求項１に記載の展示パネル。
【請求項３】
前記支持台が、横方向に互いに距離をおいて配置された複数の係合部材を備え、前記パネルが、前記係合部材に回動可能に係合する被係合部材を備えた請求項１または２に記載の展示パネル。
【考案の詳細な説明】
【技術分野】
【０００１】
本考案は、展示パネルに関し、特に、トレーディングカードの展示に適した展示パネルに関する。
【背景技術】
【０００２】
トレーディングカードは、元来、人気のあるスポーツ選手や芸能人の肖像を描いたカードであり、主として菓子や食品に販売促進の目的で同封されていたものである。これらのカードは収集や鑑賞の対象とされ、希少性の高いものは現在でもマニアの間で非常な高値で取引されている。
【０００３】
近年のトレーディングカードは、スポーツ選手などの肖像に代わりアニメのキャラクターなどが描かれるようになってきており、キャラクターとともに能力値や効果などが記載されたゲーム性の強いものが指向されている。その中でも珍しいキャラクターが描かれたものや特異な能力や効果が記載されたものはレアカードとして大変な人気があり、高いものになると数万円で売買されている。
【考案の概要】
【考案が解決しようとする課題】
【０００４】
このようなトレーディングカードは、商品の性格上、描かれたキャラクターや数値が容易に判別できるような状態で展示する必要がある。しかし、これまではトレーディングカードの展示・販売に適した展示パネルがなかったため、ビニール袋などに入れて天井からぶら下げたり、自作のボードに貼り付けたりするなど、あまり見栄えのいい展示は行われていなかった。
【０００５】
本考案は、特にトレーディングカードの展示に適した展示パネルを提供することを目的とする。
【課題を解決するための手段】
【０００６】
本考案は、枠と、枠の内側に配置された第１の透明板と第１の透明板の一方の面側において枠に回動可能に装着された第２の透明板からなるパネルと、パネルを直立姿勢で設置するための支持台を備えた展示パネルを提供する。
【０００７】
トレーディングカードは第１の透明板に上下左右に適当な間隔をおいて貼り付けられ、第１の透明板と第２の透明板の間に封じ込められた状態で展示される。トレーディングカードの表面と裏面に描かれた内容は透明板を通して確認することができる。トレーディングカードを購入するときには、第２の透明板を開き、第１の透明板から剥がして取り出す。
【０００８】
第１の透明板の他方の面側において第３の透明板を枠に回動可能に装着し、第１の透明板の両面にトレーディングカードを貼り付けるようにしてもよい。
【考案の効果】
【０００９】
本考案によれば、トレーディングカードを見栄えよく、内容が確認しやすい状態で展示することができ、来店者の購買意欲を高めることができる。
【図面の簡単な説明】
【００１０】
【図１】本考案の実施の形態の展示パネルの斜視図
【図２】本考案の実施の形態の展示パネルを構成する支持台の斜視図
【図３】本考案の実施の形態の展示パネルを構成する支持台の一部拡大図
【図４】本考案の実施の形態の展示パネルを構成するパネルの斜視図
【図５】本考案の他の実施の形態の展示パネルの斜視図
【考案を実施するための形態】
【００１１】
本考案の実施の形態について図面を参照して説明する。図１において、展示パネル１０は、支持台１２と、５枚のパネル１４で構成されている。展示パネル１０は、支持台１２の底板１６と、各パネル１４に取り付けられたキャスター１８によって倒れないように支えられている。各パネル１４は、たたみ一畳程度の大きさの矩形状のパネルであり、短辺側を上下にした直立姿勢で長辺側が支持台１２に枢着されている。各パネル１４は支持台１２に枢着された長辺を中心として水平方向に回動可能であり、隣り合うパネル間のスペースを自在に調整できるようになっている。
【００１２】
図２において、支持台１２は、底板１６と、一端が底板１６に固定され、他端が鉛直方向に伸びた棒状の鉛直部材２０と、鉛直方向に間隔をおいて鉛直部材２０に取り付けられた２つの水平方向に長い水平部材２２、２４で構成されている。
【００１３】
図３において、上側の水平部材２２には、５つのブラケット２６が水平方向に等間隔で取り付けられており、各ブラケット２６の先端にはそれぞれ係合部材２８が取り付けられている。係合部材２８は鉛直方向に貫通する孔２９を有する筒状の部材である。図２に示すように、下側の水平部材２４も上側の水平部材２２と同様の構造になっている。
【００１４】
図４において、パネル１４は、３枚の矩形の透明アクリル板（第１の透明板３０、第２の透明板３２、第３の透明板３４）と、第１の透明板３０の外周を囲むアルミ製の枠３６で構成されている。第２の透明板３２は、第１の透明板３０の一方の面側に配置され、上下２つの蝶番３８によって側部が枠３６の側辺４０と連結されている。第２の透明板３２は蝶番３８によって枠３６に枢着されており、蝶番３８の位置を中心として回動可能になっている。第２の透明板３２には、蝶番３８が設けられた側部とは反対の側部寄りに取っ手４２が取り付けられている。また、枠３６の他方の側辺４４には、第２の透明板３２が開かないようにするための上下２つのロック４６が取り付けられている。第１の透明板３０の他方の面側には、第３の透明板３４が第２の透明板３２と同様の構造で装着されている。
【００１５】
第１の透明板３０の一方の面にはトレーディングカード４７が貼り付けられている。第１の透明板３０と第２の透明板３２の間には、ロック４６を掛けたときにトレーディングカード４７を圧迫しない程度の隙間が設けられるようになっている。第１の透明板３０と第３の透明板３４の間についても同様である。トレーディングカード４７は盗難防止のためにロック４６を掛けられた状態で展示され、購入するときには販売員を呼んでロック４６を解除してもらい、第２の透明板３２を開いて所望のトレーディングカード４７を取り出す。
【００１６】
枠３６の側辺４０には、支持台１２の上下２つの係合部材２８とそれぞれ係合する上下２つの被係合部材４８が、係合部材２８の上下間隔の間隔と同じ間隔で設けられている。被係合部材４８は係合部材２８の孔２９に挿入可能な円柱状の部材である。枠３６の側辺４０には上下２つの凹部５０が形成されており、凹部５０の内側に被係合部材４８が収められている。被係合部材４８の上端は凹部５０に固定されており、被係合部材４８の下端側には係合部材２８を収めることができる程度の空間が形成されている。この空間に係合部材２８が収まるようにパネル１４を一旦持ち上げ、係合部材２８の孔２９の上方から被係合部材４８を挿入することにより、パネル１４を支持台１２に装着することができる。パネル１４を取り外すときには逆の手順で行えばよい。
【００１７】
展示パネル１０には、各パネル１４を動かし、隣り合うパネル１４の間のスペースを広げることにより、狭い設置場所であっても十分な閲覧スペースを確保することができるという利点がある。支持台１２に設ける係合部材２８の数は任意であり、パネル１４の枚数に応じて適宜変更することができる。また、展示物はトレーディングカード４７には限られず、チケットやポストカードなど比較的薄手のものであれば種類を問わず展示することができる。
【００１８】
図５に示す展示パネル６０は、支持台６２を用いてパネル１４を単独で設置できるようにしたものである。支持台６２は、棒状部材６４の両端に滑り止めのストッパ６６を取り付けたものを２つ一組としたものであり、パネル１４の枠３６の下辺６８の両端に取り付けられている。
【符号の説明】
【００１９】
１０、６０  展示パネル
１２、６２  支持台
１４  パネル
２０  鉛直部材
２２、２４  水平部材
２８  係合部材
３０  第１の透明板
３２  第２の透明板
３４  第３の透明板
４８  被係合部材
【図１】
0003155661.tif 000003
【図２】
0003155661.tif 000004
【図３】
0003155661.tif 000005
【図４】
0003155661.tif 000006
【図５】
0003155661.tif 000007